(57)【要約】【課題】吸収性パッドがパッドホルダーの適正な位置に配されているか否かを、パッドホルダーを着用した状態で容易に判断できるパッドホルダーを提供すること。【解決手段】本発明のパッドホルダー１は、ウエスト開口部２及び一対のレッグ開口部３を有するパンツ型で、その股部領域ｂ２の肌対向面上に吸収性パッド４を配して着用可能なものであり、幅方向中央領域Ｔは、幅方向サイド領域Ｓよりも、全光線透過率の高い部分を含んでいる。パッドホルダー１は、幅方向中央領域Ｔにおいて、股部領域ｂ２及び股部領域ｄ２を合わせた領域の少なくとも５０％以上の領域が、全光線透過率５０％以上の高光透過率部７を有し、幅方向サイド領域Ｓの少なくとも７５％以上の領域が、全光線透過率４０％以下の低光透過率部８を有している。パッドホルダー１には、着脱可能に固定する固定手段により高光透過率部７上に吸収性パッド４が固定されうる。【選択図】図１
2011000392.tif 000002
【特許請求の範囲】
【請求項１】
ウエスト開口部及び一対のレッグ開口部を有するパンツ型で、その股部領域の肌対向面上に吸収性パッドを配して着用可能なパッドホルダーであって、
幅方向中央領域は、その全光線透過率が、幅方向サイド領域の全光線透過率よりも高い部分を含み、
前記幅方向中央領域において、前記股部領域の少なくとも５０％以上の領域が、前記全光線透過率５０％以上の高光透過率部であり、該高光透過率部は、前記股部領域の下端から前記ウエスト開口部の開口縁に向かって延在しており、
前記幅方向サイド領域の少なくとも７５％以上の領域が、前記全光線透過率４０％以下の低光透過率部であり、
前記吸収性パッドの少なくとも一部を着脱可能に固定する固定手段を備え、該固定手段によって、前記吸収性パッドが前記高光透過率部上に固定されうるパッドホルダー。
【請求項２】
前記高光透過率部は、前記股部領域の下端から前記ウエスト開口部の開口縁に向かってその幅が広がるように形成されている請求項１に記載のパッドホルダー。
【請求項３】
前記高光透過率部は、前記股部領域から胴部領域に跨るとともに、ウエスト開口部を含むウエスト領域にはかからない請求項１又は２に記載のパッドホルダー。
【請求項４】
前記高光透過率部に、幅方向に延びる帯模様を有し、該帯模様は、前記パッドホルダーの長手方向に対して間欠的に複数本配されており、前記パッドホルダー１の股下側から前記ウエスト開口部の開口縁に向かうにしたがって幅方向の長さが長くなっている請求項１〜３の何れかに記載のパッドホルダー。
【請求項５】
前記吸収性パッドが、排尿の有無を視覚的に認識させるインジケーター処理部を有しており、該インジケーター処理部が前記高光透過率部を通して前記パッドホルダーの外表面から認識できる請求項１〜４の何れかに記載のパッドホルダー。
【発明の詳細な説明】
【技術分野】
【０００１】
本発明は、吸収性パッドを配して着用するパッドホルダーに関する。
【背景技術】
【０００２】
従来より、病院、老人ホーム、在宅介護等において、パッドホルダーの股部領域の肌対向面上に吸収性パッドを取り付けた状態で、介護者が要介護者にパッドホルダーを着用させ、要介護者が排泄した場合は、吸収性パッドのみを新品に交換し、パッドホルダーを再利用することが行われている。使い捨ておむつ等を使用する場合に比して、ゴミの量やコストの削減を図ることができるため、吸収性パッド及びパッドホルダーはセットで利用されている。
【０００３】
しかしながら、要介護者に着用させた状態で、吸収性パッドがパッドホルダーの適正な位置に配されているか否かを、介護者が判断することが出来ず、不便であった。また、吸収性パッドがパッドホルダーの適正な位置に配されているか否かをパッドホルダーを捲って何度も確認すると、要介護者の尊厳を傷つけてしまう。
【０００４】
例えば、特許文献１には、固定用パンティブリーフに、目の粗い編地で形成された窓を設け、パッドホルダーの適正な位置に吸収性物品が配されていることを、介護者が確認できる固定用パンティブリーフが開示されている。
【先行技術文献】
【特許文献】
【０００５】
【特許文献１】特表平８−５０９４００号公報
【発明の開示】
【発明が解決しようとする課題】
【０００６】
しかしながら、特許文献１に記載の固定用パンティブリーフの窓は、非常に小さいため、吸収性パッドが適正な位置に配されているか否かについて、未だ判断し難い。また、特許文献１に記載の固定用パンティブリーフの窓は、目の粗い編地で形成されていると記載されているのみで、どれほどの透過率を有する部材で形成されているかについては具体的に何ら記載されていない。
【０００７】
したがって、本発明の課題は、吸収性パッドがパッドホルダーの適正な位置に配されているか否かを、パッドホルダーを着用した状態で容易に判断できるパッドホルダーを提供することにある。
【課題を解決するための手段】
【０００８】
本発明は、ウエスト開口部及び一対のレッグ開口部を有するパンツ型で、その股部領域の肌対向面上に吸収性パッドを配して着用可能なパッドホルダーであって、幅方向中央領域は、その全光線透過率が、幅方向サイド領域の全光線透過率よりも高い部分を含み、前記幅方向中央領域において、前記股部領域の少なくとも５０％以上の領域が、前記全光線透過率５０％以上の高光透過率部であり、該高光透過率部は、前記股部領域の下端から前記ウエスト開口部の開口縁に向かって延在しており、前記幅方向サイド領域の少なくとも７５％以上の領域が、前記全光線透過率４０％以下の低光透過率部であり、前記吸収性パッドの少なくとも一部を着脱可能に固定する固定手段を備え、該固定手段によって、前記吸収性パッドが前記高光透過率部上に固定されうるパッドホルダーを提供するものである。
【発明の効果】
【０００９】
本発明のパッドホルダーによれば、着用した状態で、吸収性パッドがパッドホルダーの適正な位置に配されているか否かを容易に判断できる。そのため、介護者にとって、有効であり、また、要介護者にとって、尊厳が傷つけられ難い。
【図面の簡単な説明】
【００１０】
【図１】図１は、本発明の実施形態であるパッドホルダーを前身頃と後身頃の肌対向面同士を面接させて平面状とした状態（自然状態）を、前身頃側から見た状態を示す正面図である。
【図２】図２は、図１に示すパッドホルダーの使用状態（着用状態）を前身頃側から見た図である。
【図３】図３は、図１に示すパッドホルダーの高光透過率部７を伸張させた状態を示す正面図である。
【図４】図４は、本発明の他の実施形態であるパッドホルダーの使用状態（着用状態）を前身頃側から見た図である。
【発明を実施するための形態】
【００１１】
以下、本発明のパッドホルダーの好ましい実施形態について、図１〜図４に基づいて説明する。
【００１２】
本実施形態のパッドホルダー１は、図１〜図２に示すように、ウエスト開口部２及び一対のレッグ開口部３，３を有するパンツ型で、その股部領域ｂ２の肌対向面上に吸収性パッド４を配して着用可能なものであり、幅方向（以下「Ｘ方向」という。Ｘ方向：パッドホルダー１の長手方向に延びる中心線ＣＬに垂直な方向をいう。）中央領域Ｔは、その全光線透過率が、幅方向サイド領域Ｓの全光線透過率よりも高い部分を含んでいる。
パッドホルダー１は、図１に示すように、中心線ＣＬに対して左右対称に形成されている。
尚、図１は自然状態でのパッドホルダー１を示し、図２は着用状態でのパッドホルダー１を示す。
【００１３】
パッドホルダー１について、詳述すると、パッドホルダー１は、図１に示すように、所謂ボクサーパンツ型（トランクス型）であり、筒状の胴回り部５及び一対の筒状の脚回り部６，６を有している。パッドホルダー１は、図２に示すように、着用時にレッグ開口部３が股下よりも下方に位置する。パッドホルダー１は、図１に示すように、筒状の胴回り部５の長手方向（以下「Ｙ方向」という。Ｙ方向：パッドホルダー１の長手方向に延びる中心線ＣＬに平行な方向をいう。）上端には、着用者のウエスト部分が挿通されて密着されるウエスト開口部２が開口している。また、パッドホルダー１は、一対の筒状の脚回り部６，６それぞれの長手方向（Ｙ方向）下端には、着用者の各太腿付近が挿通されて密着されるレッグ開口部３が開口している。
【００１４】
パッドホルダー１は、長手方向（Ｙ方向）において、上述の通り、胴回り部５及び脚回り部６を有している。パッドホルダー１の胴回り部５は、図１に示すように、ウエスト開口部２の周縁部を含むウエスト領域Ａと、着用時に着用者の腹側に配される腹部領域Ｂと、着用時に着用者の背側に配される背部領域Ｄとから形成されている。パッドホルダー１の腹部領域Ｂは、図１に示すように、ウエスト領域Ａの下端と腹部領域Ｂの下端５１（股下の最下端）との間の領域であり、その間の距離を二等分する直線ＳＬより上方に位置する胴部領域ｂ１と、直線ＳＬより下方に位置する股部領域ｂ２から形成されている。パッドホルダー１の背部領域Ｄについても、腹部領域Ｂと同様に、胴部領域ｄ１と、股部領域ｄ２とから形成されている。パッドホルダー１は、図１に示すように、レッグ開口部３の周縁部を含む脚回り部６からなる太腿領域Ｃを有している。
【００１５】
図１に示すように、ウエスト領域Ａの上端から下端までの距離（ウエスト領域Ａの範囲）Ｌ２は、５０ｍｍである。ウエスト領域Ａの上端から太腿領域Ｃの下端までの距離Ｌ１は、２７０ｍｍ〜４５０ｍｍであることが好ましく、ウエスト領域Ａの下端から太腿領域Ｃの上端までの距離（腹部領域Ｂ，背部領域Ｄの範囲）Ｌ３は、２１０ｍｍ〜３３０ｍｍであることが好ましく、太腿領域Ｃの上端（股部領域ｂ２の下端５１）から太腿領域Ｃの下端までの距離（太腿領域Ｃの範囲）Ｌ４は、１０ｍｍ〜１３０ｍｍであることが好ましい。
【００１６】
パッドホルダー１は、図１に示すように、幅方向（Ｘ方向）において、一対の幅方向サイド領域Ｓ，Ｓと、幅方向サイド領域Ｓ，Ｓの間に位置する幅方向中央領域Ｔとから形成されている。一対の幅方向サイド領域Ｓ，Ｓ及び幅方向中央領域Ｔそれぞれは、図１に示すように、胴回り部５における二等分直線ＳＬでの幅を、三等分した領域である。
【００１７】
図１に示すように、前述の二等分直線ＳＬでの幅Ｗ１は、２８０ｍｍ〜４００ｍｍであることが好ましく、ウエスト開口部２の開口縁２１での幅Ｗ２は、１８０ｍｍ〜３００ｍｍであることが好ましい。このように幅Ｗ１は幅Ｗ２よりも大きいことが好ましく、その差（Ｗ１−Ｗ２）が、７０〜１３０ｍｍであることが装着性およびフィット性の観点から好ましい。レッグ開口部３の開口縁３１での幅Ｗ３は、１４０ｍｍ〜２００ｍｍであることが好ましい。
図１に示す股間幅Ｗ４は４０〜１２０ｍｍであることが好ましく、６０〜１００ｍｍであることが好ましい。当該範囲の場合、製品股間部が着用者の股下に密着しやすくなることによって肌から吸収性パッド４が浮き上がってしまうことが抑制され、吸収性パッド４および吸収性パッド４上のインジケーター処理部４１の視認性が良好となる。好ましい股間幅Ｗ４の形成方法としては、丸編機により製造された伸縮性に富む筒状の編地を形成し、股間部を形成する部分を裁断、縫製する等の方法が挙げられる。
【００１８】
パッドホルダー１は、図１に示すように、幅方向中央領域は、その全光線透過率が、幅方向サイド領域の全光線透過率よりも高い部分を含むようになっている。全光線透過率は、ＪＩＳ  Ｋ７１５０（測定法Ａ）に準処して測定される〔測定装置：（株）村上色彩技術研究所製  ＨＲ−１００〕。パッドホルダー１は、図１に示すように、腹部領域Ｂ及び背部領域Ｄを合わせた領域の幅方向中央領域Ｔにおいて、股部領域ｂ２及び股部領域ｄ２を合わせた領域の少なくとも５０％以上の領域が、全光線透過率５０％以上の高光透過率部７を有している。パッドホルダー１は、図１に示すように、腹部領域Ｂ及び背部領域Ｄを合わせた領域における幅方向サイド領域Ｓの少なくとも７５％以上の領域が、全光線透過率４０％以下の低光透過率部８を有している。本実施形態のパッドホルダー１においては、腹部領域Ｂ及び背部領域Ｄそれぞれの幅方向中央領域Ｔにおいて、股部領域ｂ２，ｄ２の少なくとも５０％以上の領域が、全光線透過率５０％以上の高光透過率部７を有しており、腹部領域Ｂ及び背部領域Ｄそれぞれの幅方向サイド領域Ｓの少なくとも７５％以上の領域が、全光線透過率４０％以下の低光透過率部８を有している。
【００１９】
パッドホルダー１は、視認性の観点から、腹部領域Ｂ及び背部領域Ｄを合わせた領域の幅方向中央領域Ｔにおける高光透過率部７が、股部領域ｂ２及び股部領域ｄ２を合わせた領域の７５％以上の領域であることが好ましく、９０％以上の領域であることが更に好ましい。また、パッドホルダー１は、肌の隠蔽性の観点から、腹部領域Ｂ及び背部領域Ｄを合わせた領域の低光透過率部８が、幅方向サイド領域Ｓの８０％以上の領域であることが好ましく、９０％以上の領域であることが更に好ましい。
【００２０】
パッドホルダー１は、図１に示すように、腹部領域Ｂの高光透過率部７が、股部領域ｂ２の下端５１（股下の最下端）からウエスト開口部２の開口縁２１に向かって延在しており、背部領域Ｄにおいても腹部領域Ｂと同様に、背部領域Ｄの高光透過率部７が、股部領域ｄ２の下端５１（股下の最下端）からウエスト開口部２の開口縁２１に向かって延在している。本実施形態のパッドホルダー１においては、腹部領域Ｂの高光透過率部７が、股部領域ｂ２の下端５１（股下の最下端）からウエスト開口部２の開口縁２１に向かってその幅が広がるように形成されており、背部領域Ｄにおいても腹部領域Ｂと同様に、背部領域Ｄの高光透過率部７が、股部領域ｄ２の下端５１（股下の最下端）からウエスト開口部２の開口縁２１に向かってその幅が広がるように形成されている。
【００２１】
本実施形態のパッドホルダー１においては、図１に示すように、腹部領域Ｂの高光透過率部７が、股部領域ｂ２から胴部領域ｂ１に跨るとともに、ウエスト開口部２を含むウエスト領域Ａにはかからない位置に配されている。背部領域Ｄにおいても腹部領域Ｂと同様に、パッドホルダー１においては、背部領域Ｄの高光透過率部７が、股部領域ｄ２から胴部領域ｄ１に跨るとともに、ウエスト開口部２を含むウエスト領域Ａにはかからない位置に配されている。即ち、本実施形態のパッドホルダー１においては、図１に示すように、腹部領域Ｂ及び背部領域Ｄの何れにおいても、高光透過率部７の長手方向（Ｙ方向）上端７１が、二等分直線ＳＬとウエスト領域Ａの下端との間の位置に配されている。
【００２２】
本実施形態のパッドホルダー１においては、図１に示すように、腹部領域Ｂの高光透過率部７に、幅方向（Ｘ方向）に延びる帯模様７２を有している。背部領域Ｄにおいても腹部領域Ｂと同様である。本実施形態のパッドホルダー１においては、図１に示すように、腹部領域Ｂ及び背部領域Ｄのそれぞれにおいて、帯模様７２が、パッドホルダー１の長手方向（Ｙ方向）に対して間欠的に複数本配されており、パッドホルダー１の股下側（股部領域ｂ２，ｄ２の下端５１側）からウエスト開口部２の開口縁２１に向かうにしたがって幅方向（Ｘ方向）の長さが長くなっている。腹部領域Ｂ及び背部領域Ｄのそれぞれにおいて、帯模様７２は、長手方向（Ｙ方向）に間欠的に２本〜５本配されていることが好ましく、本実施形態のパッドホルダー１においては、図１に示すように、三本ずつ配されている。図１に示す各帯模様７２は、その幅が、３〜２５ｍｍであることが好ましく、５〜１５ｍｍであることが更に好ましい。当該帯模様７２は高光透過率部７の他の部分よりも光透過率が低い場合、高い場合のいずれでも良い。また、帯模様７２が低光透過率部８以下の光透過率であっても良いが、その場合には、帯模様７２部分は高光透過率部７の面積から除外される。
【００２３】
パッドホルダー１は、図２に示すように、その股部領域ｂ２，ｄ２の肌対向面上に吸収性パッド４を配して着用可能となる。パッドホルダー１は、図１，図２に示すように、吸収性パッド４の少なくとも一部を着脱可能に固定する固定手段７３を備え、固定手段７３によって、吸収性パッド４が高光透過率部７上に固定される。吸収性パッド４は、一般な吸収性パッドであり、液透過性の表面シート、液不透過性又は撥水性の裏面シート及びこれら両シート間に挟持固定された吸収性コアを備えている。吸収性パッド４は、裏面シート側の面に、パッドホルダー１に固定するための固定手段（固定手段７３に対応する手段）を有するものでも有しないものであっても良い。また、吸収性パッド４は、図２に示すように、吸収性コア及び裏面シートの間に、吸収性パッド４の長手方向に延在する、排尿の有無を視覚的に認識させるインジケーター処理部４１を有している。吸収性パッド４の構成は、一般的な吸収性パッドと同様である。吸収性パッド４の固定の観点から、吸収性パッド４は、裏面シート側の面に、パッドホルダー１に固定するための固定手段を有していることが好ましく、固定手段としては装着簡便性、ズレ防止性の観点からメカニカルファスナー（オス材）が好ましい。メカニカルファスナー（オス材）はインジケーター処理部４１の視認性を阻害しないように、吸収性パッド４の前後端近傍に配されていることが好ましい。
【００２４】
パッドホルダー１は、図２に示すように、吸収性パッド４が適切な位置に配されているか否かを、介護者が、高光透過率部７を通してパッドホルダー１の外表面（非肌対向面側）から認識できるように形成されている。また、パッドホルダー１は、図２に示すように、要介護者が排尿した場合には、吸収性パッド４のインジケーター処理部４１が高光透過率部７を通してパッドホルダー１の外表面（非肌対向面側）から、介護者によって、認識できるように形成されている。
【００２５】
本実施形態のパッドホルダー１の形成材料について説明する。
パッドホルダー１において、ウエスト開口部２の周縁部を除く胴回り部５、及び一対のレッグ開口部の周縁部を除く一対の筒状の脚回り部６，６それぞれの形成材料としては、伸縮性シートが用いられる。伸縮性シートとしては、編地、伸縮性不織布等が用いられ、編地を用いることが好ましい。特に、糸自体が伸縮性を有すると共に、伸縮性の発現し易い編み方で形成された編地を用いることが好ましい。本実施形態のパッドホルダー１においては、胴回り部５は、丸編機により製造された伸縮性に富む筒状の編地から形成されており、一対の筒状の脚回り部６，６は、丸編機により製造された、胴回り部５とは別体の伸縮性に富む筒状の編地から形成されている。即ち、パッドホルダー１の胴回り部５は、前身頃と後身頃とをつなぎ合わせる継ぎ目が無いように形成されている。
【００２６】
パッドホルダー１においては、胴回り部５は、上述したように、全光線透過率５０％以上の高光透過率部７、全光線透過率４０％以下の低光透過率部８、高光透過率部７及び低光透過率部８以外の部位を有しており、丸編機等により、それぞれの編み方を異なるようにして形成されている。高光透過率部７は、低光透過率部８、及び高光透過率部７及び低光透過率部８以外の部位よりも低密度で編まれていることが好ましく、低光透過率部８は、高光透過率部７、及び高光透過率部７及び低光透過率部８以外の部位よりも高密度で編まれていることが好ましい。
【００２７】
高光透過率部７の最大開口距離ｄは、図３に示すように、１５０％伸張時において、２〜１０ｍｍであることが好ましく、４〜８ｍｍであることが更に好ましい。
低光透過率部８の最大開口距離は、１５０％伸張時において、１．５ｍｍ以下であることが好ましく、１．０ｍｍ以下であることが更に好ましい。高光透過率部７及び低光透過率部８の上記最大開口距離は、次のように測定される。
【００２８】
＜最大開口距離ｄの測定方法＞
測定対象のパッドホルダーから、高光透過率部７及び低光透過率部８それぞれを、長手方向（Ｙ方向）に５０ｍｍ、幅方向（Ｘ方向）に５０ｍｍの寸法の正方形形状に切り出し、これらの切り出された正方形形状を各測定サンプルとする。
測定サンプルを、長手方向（Ｙ方向）に７５ｍｍ、幅方向（Ｘ方向）に７５ｍｍの寸法の黒台紙上に、伸張させて貼り付ける（図３参照）。このように貼り付けることにより、測定サンプルは、１５０％に伸張させられている。黒台紙上に貼り付けられた測定サンプルの中心から長手方向（Ｙ方向）に±１５ｍｍ、幅方向（Ｘ方向）に±１５ｍｍの範囲内にある糸同士の間の最長距離（最大開口距離ｄ）を目視にて３点測定し、それらの平均値により求める。
【００２９】
高光透過率部７は、その最大伸長率が、長手方向（Ｙ方向）及び幅方向（Ｘ方向）それぞれにおいて、５０〜４００％であることが好ましく、１５０〜３５０％であることが更に好ましい。また、低光透過率部８は、その最大伸長率が、長手方向（Ｙ方向）及び幅方向（Ｘ方向）それぞれにおいて、５０〜４００％であることが好ましく、５０〜２００％であることが更に好ましい。最大伸長率とは、それ以上伸ばせない長さ（材破する直前の長さ）まで伸長したときの伸長率である。高光透過率部７及び低光透過率部８の最大伸長率は、次のように測定される。
【００３０】
＜最大伸長率の測定方法＞
パッドホルダー１の高光透過率部７から、長手方向（Ｙ方向）に１００ｍｍ、幅方向（Ｘ方向）に５０ｍｍの寸法の長方形形状を切り出し、この切り出された長方形形状を長手方向（Ｙ方向）最大伸長率測定用サンプルとする。
この測定サンプルを、その長手方向（パッドホルダー１の長手方向（Ｙ方向）と同方向）が引っ張り方向となるように、引張試験機のチャックに取り付ける。チャック間距離は５０ｍｍ（チャック部は測定用サンプルの前後２５ｍｍの部分）とする。測定サンプルを３００ｍｍ／分で引っ張り、材破する直前の長さまで伸長させ、下記式（１）から長手方向（Ｙ方向）の最大伸長率が求められる。
幅方向（Ｘ方向）の最大伸長率は、幅方向（Ｘ方向）の最大伸長率測定用サンプルを、高光透過率部７から、長手方向（Ｙ方向）に５０ｍｍ、幅方向（Ｘ方向）に１００ｍｍの寸法の長方形形状に切り出したサンプルを、その長手方向（パッドホルダー１の幅方向（Ｘ方向）と同方向）が引っ張り方向となるように取り付ける以外は、長手方向（Ｙ方向）の最大伸長率と同様に測定する。低光透過率部８の最大伸長率についても、高光透過率部７の最大伸長率と同様に測定する。
最大伸長率（％）＝｛（伸長後の長さ−伸長前の長さ）／伸長前の長さ｝×１００％・・・（１）
【００３１】
パッドホルダー１における高光透過率部７の帯模様７２は、丸編機等により、高光透過率部７の編み方と異なるようにして形成されている。具体的には、図１に示す帯模様７２は、高光透過率部７よりも密度が高くなるように形成されていてもよく、模様を異ならせて形成されていてもよい。また、帯模様７２は、高光透過率部７を形成する部材とは異なる部材を貼り付けて形成されていてもよく、高光透過率部７と色の異なる部材から形成されていてもよい。尚、帯模様７２を高光透過率部７の他の部位よりも伸縮性の抑えた伸縮抑制部とすることによって、吸収性パッド４のズレを効果的に防止できる観点から、帯模様７２としては、高光透過率部７よりも密度が高くなるように形成することが好ましい。
【００３２】
パッドホルダー１における固定手段７３としては、メカニカルファスナー、粘着剤、アンチスリッピング材、ボタン、フック、ファスナー、磁石等の手段が挙げられる。
吸収性パッド４には固定手段７３に対応した固定手段を有していることが好ましい。また、着用者の肌への負担低減（矩形状の吸収性パッド４の四つ角を直接肌に触れさせない）の観点から、パッドホルダー１の腹部領域Ｂ及び背部領域Ｄそれぞれの肌面側に、吸収性パッド４の長手方向の両端部をそれぞれ差し込む帯状の差し込みバンドを配置し、差し込みバンドの非肌面側に固定手段７３を設けて吸収性パッド４を固定しても良い。差し込みバンドは伸縮性を有していることが吸収性パッド４の装着性、保持性の観点から好ましい。
【００３３】
パッドホルダー１のウエスト開口部２の周縁部には、ウエスト部弾性部材が伸張状態で環状に配されており、これによりウエストギャザーが形成されている。ウエスト部弾性部材は、縫い付け、あるいは接着剤等を用いた貼り付け等により、ウエスト開口部２の周縁部に固定されている。ウエスト部弾性部材としては、例えば、ポリウレタン繊維で形成された伸縮性織布、合成ゴムシート、天然ゴムシート等が用いられる。
【００３４】
パッドホルダー１のレッグ開口部３の周縁部には、レッグ部弾性部材が伸張状態で環状に配されており、これにより太腿ギャザーが形成されている。レッグ部弾性部材は、縫い付け、あるいは接着剤等を用いた貼り付け等により、レッグ開口部３の周縁部に固定されている。レッグ部弾性部材としては、上述したウエスト部弾性部材と同様のものを用いることができる。
【００３５】
次に上述した本発明の実施形態のパッドホルダー１を使用した際の作用効果について説明する。
パッドホルダー１は、図１に示すように、幅方向中央領域Ｔには全光線透過率が、幅方向サイド領域Ｓの全光線透過率よりも高い部分を含んでおり、幅方向中央領域Ｔにおいて、股部領域ｂ２及び股部領域ｄ２を合わせた領域の少なくとも５０％以上の領域が、全光線透過率５０％以上の高光透過率部７を有している。幅方向中央領域Ｔは、胴回り部５を幅方向（Ｘ方向）に三等分した領域の一つであり、股部領域ｂ２，ｄ２は、胴回り部５を長手方向（Ｙ方向）に二等分する直線ＳＬより下方に位置する股部領域ｂ２でる。このように、高光透過率部７は、範囲が広く、且つ全光線透過率が５０％以上であるので、介護者が要介護者に着用させる前、即ち、吸収性パッド４をパッドホルダー１の内側に装着させる際に、パッドホルダー１の内側から覗くと、高光透過率部７を通して光が通過して見える。その為、吸収性パッド４をパッドホルダー１の適正な位置に配することができる。また、着用した状態で、吸収性パッド４がパッドホルダー１の適正な位置に配されているか否かを、介護者が容易に判断できるので、有効であり、パッドホルダー１を何度も捲って確認する必要が少なくなるので、要介護者の尊厳を傷つけ難い。
【００３６】
また、パッドホルダー１は、図１に示すように、幅方向サイド領域Ｓの少なくとも７５％以上の領域が、全光線透過率４０％以下の低光透過率部８を有している。パッドホルダー１は、図２に示すように、着用時には、吸収性パッド４によって股間部が被覆され、幅方向サイド領域Ｓの低光透過率部８によって肌が露出し難いので、着用者の尊厳を傷つけ難い。
【００３７】
また、パッドホルダー１は、図１に示すように、吸収性パッド４を固定する固定手段７３を備えているので、着用初期や使用時に、吸収性パッド４が高光透過率部７から外れ難く、視認性に優れている。
固定手段７３により吸収性パッド４を確実に高光透過率部７に配置することが可能となるので、吸収性パッド４の装着状態を介護者がパッドホルダー１の外表面から常時容易に視認することができる。
【００３８】
また、パッドホルダー１は、図２に示すように、要介護者の排尿の有無を視覚的に認識させるインジケーター処理部４１を、高光透過率部７を通して、介護者がパッドホルダー１の外表面から視認することができるので、介護者にとって、有効であり、また、要介護者にとって、尊厳が傷つけられ難い。
固定手段７３により吸収性パッド４を確実に高光透過率部７に配置することが出来るので、要介護者の排尿の有無を介護者がパッドホルダー１の外表面から常時容易に視認することができる。
【００３９】
また、パッドホルダー１は、図２に示すように、高光透過率部７が、股部領域ｂ２，ｄ２の下端５１（股下の最下端）からウエスト開口部２の開口縁２１に向かってその幅が広がるように形成（逆三角形状に形成）されているので、吸収性パッド４の着用状態が外表面から容易に認識できる。その為、吸収性パッド４のズレによる漏れを事前に防止することができる。具体的には、一般的に、着用後の吸収性パッド４は、パッドホルダー１の股下を支点として左右にズレ易く、股下から遠く離れた吸収性パッド４の長手方向（Ｙ方向）前後端部の方が、股下に位置する吸収性パッド４の部分に比べ、左右方向に大きくズレ易い。しかし、上述したように、高光透過率部７が逆三角形状に形成されているので、吸収性パッド４の長手方向（Ｙ方向）前後端部のズレを容易に確認することができる。
【００４０】
また、パッドホルダー１は、図２に示すように、高光透過率部７が、股部領域ｂ２，ｄ２から胴部領域ｂ１，ｄ１に跨るとともに、ウエスト開口部２を含むウエスト領域Ａにはかからない位置に配されている。即ち、吸収性パッド４の配される部分は、高光透過率部７であり、吸収性パッド４の配されない部分は、大部分が、低光透過率部８であるので、外表面から見て、肌が露出し難く、着用者の尊厳を傷つけ難い。
【００４１】
また、パッドホルダー１は、図２に示すように、幅方向（Ｘ方向）に延びる帯模様７２を有しているので、吸収性パッド４の着用位置を一目で容易に認識することができ、着用ミスを防止することができる。また、パッドホルダー１は、図２に示すように、帯模様７２が、パッドホルダー１の長手方向（Ｙ方向）に対して間欠的に複数本配されているので、要介護者の排尿の有無を視覚的に認識させるインジケーター処理部４１の変色の長さを容易に判断でき、要介護者のおおよその排尿量を簡便に把握することができる。
【００４２】
本発明のパッドホルダーは、上述の実施形態のパッドホルダー１に何ら制限されるものではなく、適宜変更可能である。
【００４３】
例えば、上述の実施形態のパッドホルダー１においては、筒状の胴回り部５及び一対の筒状の脚回り部６，６を有するボクサーパンツ型（トランクス型）のパッドホルダーであるが、一対の筒状の脚回り部６，６を除いた筒状の胴回り部５のみから形成される所謂ハイレグ型のパンツであってもよい。
股下部の吸収性パッド４の保持性（左右ズレ防止）に優れ、インジケーター処理部４１の視認性を高める観点から、ボクサーパンツ型（トランクス型）であることが好ましい。
【００４４】
また、上述の実施形態のパッドホルダー１においては、図１に示すように、高光透過率部７が、腹部領域Ｂ及び背部領域Ｄの何れにおいても、股部領域ｂ１，ｄ２の下端５１（股下の最下端）からウエスト開口部２の開口縁２１に向かってその幅が広がるように形成されているが、図４に示すように、腹部領域Ｂ及び背部領域Ｄの何れも、その幅が広がるように形成されておらず、矩形状に形成されていてもよい。また、腹部領域Ｂ及び背部領域Ｄの何れか一方において、高光透過率部７の幅が広がるように形成されていてもよい。
【００４５】
また、上述の実施形態のパッドホルダー１においては、図１に示すように、高光透過部７が、腹部領域Ｂ及び背部領域Ｄの何れにおいても、股部領域ｂ１，ｄ２から胴部領域ｂ１，ｄ１に跨るとともに、ウエスト開口部２を含むウエスト領域Ａにはかからない位置に配されているが、腹部領域Ｂ及び背部領域Ｄの何れも、上記の位置に配されていなくてもよく、腹部領域Ｂ及び背部領域Ｄの何れか一方において、上記の位置に配されていてもよい。
【００４６】
また、上述の実施形態のパッドホルダー１においては、図１に示すように、幅方向（Ｘ方向）に延びる帯模様７２が、腹部領域Ｂ及び背部領域Ｄの何れにおいても、高光透過率部７に配されているが、腹部領域Ｂ及び背部領域Ｄの何れにも、配されていなくてもよく、腹部領域Ｂ及び背部領域Ｄの何れか一方において、配されていてもよい。
【００４７】
また、上述の実施形態のパッドホルダー１においては、パッドホルダー１の胴回り部５が、前身頃と後身頃とをつなぎ合わせる継ぎ目の無いように形成されているが、縫合、融着、接着剤等による継ぎ目があってもよい。
【００４８】
また、上述の実施形態のパッドホルダー１においては、図１に示すように、幅方向（Ｘ方向）に延びる帯模様７２が設けられているが、パッドホルダー１の中心線ＣＬ上に吸収性パッド４の幅方向（Ｘ方向）中央部を配し易くするために、幅方向（Ｘ方向）に延びる帯模様７２と共に、中心線ＣＬ上に、長手方向（Ｙ方向）に延びる正中マークを設けてもよい。正中マークは、帯模様７２と同様な方法で形成することができる。
【符号の説明】
【００４９】
１  パッドホルダー
２  ウエスト開口部
２１  ウエスト開口部の開口縁
３  レッグ開口部
３１  レッグ開口部の開口縁
４  吸収性パッド
４１  インジケーター処理部
５  胴回り部
５１  胴回り部の下端
６  脚回り部
７  高光透過率部
７１  高光透過率部の上端
７２  帯模様
７３  固定手段
８  低光透過率部
Ａ  ウエスト領域
Ｂ  腹部領域
ｂ１  腹部領域の胴部領域
ｂ２  腹部領域の股部領域
Ｃ  太腿領域
Ｄ  背部領域
ｄ１  背部領域の胴部領域
ｄ２  背部領域の股部領域
Ｓ  幅方向サイド領域
Ｔ  幅方向中央領域
ｄ  最大開口距離
【図１】
2011000392.tif 000003
【図２】
2011000392.tif 000004
【図３】
2011000392.tif 000005
【図４】
2011000392.tif 000006